(57)【特許請求の範囲】
【請求項１】
内容物を収容し、開口部がシール材で密封された有底筒状のカップ体と、
前記シール材の上方に配設された天壁部を有し、前記カップ体に装着された蓋体と、
前記天壁部に形成された貫通孔内に配置され、前記シール材を開封する開封部材と、を備え、
前記開封部材は、
先端に前記シール材を下方に向けて押下する押下部が形成された主板部と、
前記主板部から後方に向けて延在し、回動部を介して前記天壁部に連結された連結板部と、を備え、
前記開封部材には、下方に向けて突出する被係止突部が形成され、
前記天壁部には、下方に向けて突出すると共に、前記押下部が下方に向かうように前記開封部材が前記回動部回りに回動したときに、前記被係止突部を係止する係止突部が形成され、
前記係止突部は、
前記天壁部から下方に向けて突出した突起本体と、
前記突起本体の下端部から前記被係止突部に向けて突出すると共に、上方を向いた係止面を有する爪部と、を備え、
前記天壁部には、前記係止面に対して上方から対向する部分に窓孔が形成されていることを特徴とする蓋付カップ容器。
【請求項２】
請求項１に記載の蓋付カップ容器において、
前記被係止突部は、前記連結板部に形成され、
前記係止突部は、前記貫通孔の開口周縁部に形成されていると共に、前記被係止突部に対応して形成されていることを特徴とする蓋付カップ容器。
【発明の詳細な説明】
【技術分野】
【０００１】
本発明は、蓋付カップ容器に関する。
【背景技術】
【０００２】
蓋付カップ容器として、例えば下記特許文献１に記載されているように、開口部がシール材で封止された有底筒状のカップ体と、カップ体に装着され、シール材を破断して開封する開封部材を有する蓋体と、を備えた蓋付カップ容器が知られている。
蓋体は、環状の外周壁と、蓋材の上方に配置され、貫通孔が形成された天板部と、を備えている。開封部材は、貫通孔内に配置されると共にヒンジ部を介して天板部に連結され、シール材を破断する刃部を有する押し込み部と、押し込み部から上方に向けて突出した押し込み操作板と、を備えている。
【０００３】
この蓋付カップ容器では、押し込み操作板を押しながらヒンジ部回りに押し込み部を下方に回動させることで、刃部によってシール材を破断して開封することができる。この際、外周壁の内周面に形成された凸状の係止突起に押し込み操作板を係止させることで、押し込み操作板の上方への回動を規制している。
【先行技術文献】
【特許文献】
【０００４】
【特許文献１】特開２００７−２９０７１７号公報
【発明の概要】
【発明が解決しようとする課題】
【０００５】
しかしながら、上記従来の蓋付カップ容器では、係止突起が蓋体における外周壁の内周面に形成されているので、押し込み操作板を係止突起に係止させた際、係止突起が露出するので目立ち易い。従って、開封後の見栄えを向上させることに改善の余地があった。
【０００６】
本発明は、このような事情に鑑みてなされたものであって、その目的は、開封後の見栄えを向上することができる蓋付カップ容器を提供することである。
【課題を解決するための手段】
【０００７】
（１）本発明に係る蓋付カップ容器は、内容物を収容し、開口部がシール材で密封された有底筒状のカップ体と、前記シール材の上方に配設された天壁部を有し、前記カップ体に装着された蓋体と、前記天壁部に形成された貫通孔内に配置され、前記シール材を開封する開封部材と、を備え、前記開封部材は、先端に前記シール材を下方に向けて押下する押下部が形成された主板部と、前記主板部から後方に向けて延在し、回動部を介して前記天壁部に連結された連結板部と、を備え、前記開封部材には、下方に向けて突出する被係止突部が形成され、前記天壁部には、下方に向けて突出すると共に、前記押下部が下方に向かうように前記開封部材が前記回動部回りに回動したときに、前記被係止突部を係止する係止突部が形成され、前記係止突部は、前記天壁部から下方に向けて突出した突起本体と、前記突起本体の下端部から前記被係止突部に向けて突出すると共に、上方を向いた係止面を有する爪部と、を備え、前記天壁部には、前記係止面に対して上方から対向する部分に窓孔が形成されていることを特徴とする。
【０００８】
本発明に係る蓋付カップ容器によれば、押下部が下方に向かうように開封部材を回動部回りに回動させることで、押下部によってシール材を押下して開封を行える。また、この開封時、開封部材に形成された被係止突部を、天壁部に形成された係止突部に係止することができる。これにより、開封部材が回動部回りの逆方向に回動することを規制した状態で、開封部材を保持することができる。そのため、シール材を開封することによって形成された開放部分が例えば狭くなることを防止することができ、開放部分を通じて内容物を安定してカップ体から外部に取り出すことができる。
【０００９】
特に、被係止突部が開封部材から下方に向けて突出するように形成され、且つ係止突部も天壁部から下方に向けて突出するように形成されているので、開封時、係止突部及び被係止突部を外部から視認し難い天壁部の下方で互いに係止させ合うことができる。そのため、これら係止突部及び被係止突部が外部に露出し難くなるので、開封後の見栄えを向上することができる。
さらに、開封時、被係止突部を爪部の係止面に係止させることができるので、開封部材が回動部回りの逆方向に回動することを確実に規制した状態で、開封部材を保持することができる。従って、シール材を開封することによって形成された開放部分が狭くなることを効果的に防止し易い。
また、係止面に対して被係止突部が適切に係止されていることを、窓孔を通じて容易に確認することができるうえ、製造時に、窓部を通じて係止面を成型するための成型用金型を引き抜くことができるので、効率良く製造できる。
【００１０】
（２）前記被係止突部は、前記連結板部に形成され、前記係止突部は、前記貫通孔の開口周縁部に形成されていると共に、前記被係止突部に対応して形成されていても良い。
【００１１】
この場合には、被係止突部が連結板部に形成されているので、被係止突部を回動部（支点）に近い位置に配置することができる。従って、開封部材を回動部回りに回動した際、被係止突部に対して効率良く力を伝達することができ、係止突部に対して被係止突部をスムーズに係止させ易い。従って、開封操作をより安定且つ容易に行い易い。
さらに、被係止突部を連結板部に形成し、且つ係止突部を貫通孔の開口周縁部に形成しているので、被係止突部及び係止突部を互いに近い位置に配置できる。従って、被係止突部及び係止突部を直ちに係止させ易いうえ、係止し合うまでの間に被係止突部及び係止突部に対して他部品が干渉し難い。従って、他部品との干渉を考慮することなく、被係止突部及び係止突部を十分に係止し合うように設計することができ、開封部材をさらに安定して保持することができる。
【発明の効果】
【００１４】
本発明に係る蓋付カップ容器によれば、開封後の見栄えを良くすることができる。
【図面の簡単な説明】
【００１５】
【図１】本発明に係る蓋付カップ容器の実施形態を示す縦断面図である。
【図２】図１に示す蓋付カップ容器の上面図である。
【図３】図２に示すＡ−Ａ線に沿った蓋付カップ容器の縦断面図である。
【図４】図３に示す状態から開封部材を回動操作し、刃部によりシール材を破断した状態を示す縦断面図である。
【発明を実施するための形態】
【００１６】
以下、本発明に係る蓋付カップ容器の実施形態について図面を参照して説明する。
図１及び図２に示すように、本実施形態の蓋付カップ容器１は、内部に図示しない内容物が収容され、開口部２ａがシール材３で密封された有底筒状のカップ体２と、シール材３の上方に配置された天壁部２３を有し、カップ体２に装着された有頂筒状の蓋体４と、天壁部に形成された貫通孔４０内に配置され、シール材３を開封する開封部材５と、を備えている。
【００１７】
カップ体２及び蓋体４は、それぞれの中心軸線が共通軸上に位置した状態で配設されている。以下、この共通軸を容器軸Ｏといい、容器軸Ｏに沿った開口部２ａ側を上側、その反対側を下側という。
また、容器軸Ｏに沿って見た平面視で容器軸Ｏに直交する方向を径方向といい、容器軸Ｏ回りに周回する方向を周方向という。さらに、径方向のうち一方向を前後方向Ｌ１といい、径方向のうち前後方向Ｌ１に直交する方向を左右方向Ｌ２という。
【００１８】
カップ体２は、底部１０及び胴部１１を有し、横断面視円形状の有底円筒状に形成されている。胴部１１は、上方から下方に向かうにしたがって漸次縮径している。但し、胴部１１の形状はこの場合に限定されるものではない。底部１０は、胴部１１の下端開口縁よりも僅かに上方に位置している。これにより、カップ体２は上げ底状に形成されている。
【００１９】
なお、胴部１１の内周面には、カップ体２を上下方向に重ね合わせながら多段に積み上げる際に、胴部１１の内側に差し込まれる別のカップ体２における胴部１１の下端開口縁が上方から当接する支持突起１２が形成されている。この支持突起１２は、径方向内側に向かって突出すると共に周方向の全周に亘って環状に形成されている。但し、支持突起１２は必須なものではなく、具備しなくても構わない。
【００２０】
胴部１１の上端開口縁には、径方向外側に向かって突出するフランジ部１３が全周に亘って形成されている。上記シール材３は、このフランジ部１３の上面に一体的に固着されており、これにより開口部２ａを封止している。
シール材３は、例えばアルミ蒸着シート等のバリア性シート材で構成され、その下面に熱溶着層が形成されているものが挙げられる。但し、この場合に限定されるものではなく、シール材３として、例えば合成樹脂の単層或いは積層シート、又は金属薄膜層と合成樹脂層とが積層された積層シート等で構成しても構わない。
【００２１】
シール材３の固着方法としては、例えば貼着、圧着、熱溶着、高周波溶着や接着等が挙げられる。具体的には、シール材３としてバリア性シート材を適用した場合には、カップ体２内に飲料等の内容物を充填した後に、フランジ部１３の上面に全周に亘ってシール材３を熱溶着して内容物を封止すれば良い。なお、内容物は液体に限定されるものではなく、固形或いは半固形状でも構わない。
また、シール材３として、バリア性シート材を適用した場合には、空気等がカップ体２内に侵入することを防止できるので例えば飲料の変質を効果的に防止することができる。
【００２２】
蓋体４は、フランジ部１３を径方向外側から囲む円筒状の装着筒部２０と、装着筒部２０の上端部から該上端部の全周に亘って径方向内側に向けて突出し、フランジ部１３の上方に配設される円環状の連結板２１と、連結板２１の内周縁から上方に向かって延びた円筒状の周壁部２２と、周壁部２２の上端部に接続されると共にシール材３の上方に配設された天壁部２３と、を備えている。
【００２３】
装着筒部２０の内周面には、径方向内側に向けて突出し、フランジ部１３に対してアンダーカット嵌合する係合凸部２５が形成されている。係合凸部２５は、装着筒部２０の内周面に全周に亘って環状に形成されていても構わないし、周方向に延びた円弧状に形成され、且つ周方向に間隔をあけて間欠配置されていても構わない。
そして蓋体４は、係合凸部２５がフランジ部１３に対してアンダーカット嵌合することによって、カップ体２に装着されている。但し、アンダーカット嵌合に限定されるものではない。
【００２４】
連結板２１の外周縁部には、周方向に延びる平面視円弧状のスリット部２６が複数形成されている。これらスリット部２６は、例えば周方向に間隔をあけて配置されている。図示の例では、３つのスリット部２６が周方向に間隔をあけて配置されている。
これらスリット部２６が形成されていることにより、装着筒部２０を径方向に弾性変位させ易くすることができ、蓋体４をカップ体２に装着し易い。なお、係合凸部２５を周方向に間隔をあけて配置した場合、係合凸部２５に対して平面視で重なる位置にスリット部２６を配置することがより好ましい。このようにすることで、蓋体４をカップ体２に対してさらに装着し易くなる。さらに、当該スリット部２６を利用することにより、係合凸部２５の成型が容易で賦形性に優れたものとなる。
【００２５】
図１〜図３に示すように、天壁部２３は、外周縁が周壁部２２の上端部に接続されると共に、開口部３０が形成された第１天壁部３１と、開口部３０内に配置されると共に第１天壁部３１と一体的に形成された第２天壁部３２と、を備えている。
【００２６】
開口部３０は、前後方向Ｌ１に沿った長さが左右方向Ｌ２に沿った長さよりも僅かに長く形成されていると共に、全体的に容器軸Ｏよりも径方向外側にずれた位置に形成されている。なお、前後方向Ｌ１のうち、開口部３０が容器軸Ｏに対してずれた方向を前方といい、その反対側を後方という。
【００２７】
この際、開口部３０の前方部分は周壁部２２の内周面に達している。これにより、開口部３０の周縁部のうち前方周縁部は、周壁部２２に沿った平面視円弧状に形成されている。また、開口部３０の周縁部のうち後方周縁部は、容器軸Ｏよりも後方側に位置しており、平面視半円状に形成されている。さらに、開口部３０の周縁部のうち左右両側に位置する一対の側方周縁部は、前後方向Ｌ１に沿って延びた平面視直線状に形成されている。
【００２８】
そして、上述の開口部３０の周縁部のうち前方周縁部を除いた部分、すなわち後方周縁部及び一対の側方周縁部には下方に向けて延びた内壁部がそれぞれ形成されている。
内壁部のうち後方周縁部に沿って形成された後方内壁部３３は、後方周縁部に対応して平面視半円状に形成されている。内壁部のうち一対の側方周縁部にそれぞれ沿って形成された側方内壁部３４は、側方周縁部に対応して平面視直線状に形成されている。
そのため、一対の側方内壁部３４は、左右方向Ｌ２に間隔をあけて平行に対向していると共に、前方部分が周壁部２２の内周面に対して一体的に接続され、且つ後方部分が後方内壁部３３に対して一体的に接続されている。
【００２９】
第２天壁部３２は、上述した開口部３０のうち、主に後方内壁部３３によって囲まれる部分に配置されている。第２天壁部３２は、左右方向Ｌ２の中央部に位置する下段壁３５と、下段壁３５よりも左右方向Ｌ２の外側に位置する一対の上段壁３６と、を備えている。
【００３０】
上段壁３６は、後方内壁部３３における上下方向のほぼ中間部分に配置されていると共に、後方内壁部３３の内周面に一体的に接続されている。この上段壁３６は上面がほぼ平坦とされ、前縁部が左右方向Ｌ２に沿って延びる直線状に形成され、且つ下段壁３５側を向いた側縁部が前後方向Ｌ１に沿って延びる直線状に形成されている。そして、この上段壁３６の側縁部には、下方に向けて延びる連結壁部３７が形成されている。
【００３１】
下段壁３５は、後方内壁部３３の下端部及び、連結壁部３７の下端部に一体的に接続されている。また、下段壁３５は上面がほぼ平坦とされ、前縁部が左右方向Ｌ２に沿って延びる直線状に形成されている。
【００３２】
上述のように、開口部３０の内側に高さの異なる上段壁３６及び下段壁３５を有する第２天壁部３２が形成されているので、開口部３０のうち主に後方内壁部３３で囲まれる部分には、２段階の深さの窪み部が形成されている。特に、下段壁３５によって形成される窪み部は、例えば指先を十分に差し込める程度の深さとされている。
なお、下段壁３５は平坦に形成されている必要はなく、例えば下方に向けて半球状に凹むように形成されていても構わない。このようにすることで、深さをさらに確保することができ、指先をさらに差し込み易くなる。
【００３３】
下段壁３５の下面には、突起状の穿刺部３８が下方に向けて突設されている。穿刺部３８は、下段壁３５のうち左右方向Ｌ２の中央部分に配置されており、先鋭化した下端部がシール材３の上方に若干の隙間をあけて対向している。この穿刺部３８は、例えばカップ体２の開封前に蓋付カップ容器１を加熱する等してカップ体２の内圧が上昇し、シール材３が上方に膨出変形した場合、シール材３の一部を穿刺してカップ体２内の圧力を外部に逃がす役割を果たす。
なお、シール材３が上方に膨出変形する場合、シール材３の中央部分が他の部分よりも先行して膨出し易いので、後述する刃部４３よりも先に穿刺部３８をシール材３に穿刺させることができる。
【００３４】
上記開口部３０のうち、上段壁３６が配置されていない前方寄りの部分は、蓋体４を上下に貫く貫通孔４０とされている。先に述べたように、この貫通孔４０内に開封部材５が配置されている。
【００３５】
開封部材５は、シール材３を下方に向けて押下して破断する刃部（押下部）４３が前端部（先端）に形成された主板部４１と、主板部４１から後方に向けて延び、回動部４４を介して天壁部２３に連結された一対の連結板部４２と、を備えている。
【００３６】
主板部４１は、貫通孔４０内における前方寄りに配置されており、前端部が周壁部２２の内周面に対応して平面視円弧状に形成されている。刃部４３は、主板部４１における前端部に沿って形成されていると共に、下方に向けて突出するように形成されている。刃部４３の下端部は、先鋭化されており、シール材３の上方に対向して配置されている。
【００３７】
一対の連結板部４２は、左右方向Ｌ２に間隔をあけて配置され、主板部４１の後端部から前後方向Ｌ１に沿って後方に向けて延び、上記回動部４４を介して上段壁３６の前縁部に連結されている。これにより、開封部材５は、貫通孔４０内に配置された状態で上段壁３６に片持ち支持されると共に上段壁３６を介して天壁部２３に連結されている。
回動部４４は、一対の連結板部４２の肉厚よりも薄肉とされたヒンジとされている。これにより、回動部４４を中心として（回動部４４回りに）開封部材５を滑らかに回動させることができ、回動に伴って主板部４１の前端部に形成された刃部４３を下方に向けて移動させることが可能とされている。
【００３８】
さらに、主板部４１の後端部には、開封部材５を回動操作するための操作板４５が一体的に形成されている。操作板４５は、主板部４１の後端部のうち左右方向Ｌ２の中央部分から上方に向けて突出した後、斜め後方に向けて延びるように形成されている。その際、操作板４５は、平面視で貫通孔４０内に収まる程度、後方に向けて突出している。
【００３９】
従って、下段壁３５によって形成される窪み部に差し込んだ指先を操作板４５の下方にさらに差し込み、操作板４５に対して指先を引っ掛けることが可能とされている。
これにより、操作板４５に指先を引っ掛けながら、刃部４３を下方に向けて移動させるように開封部材５を回動部４４回りに回動させることが可能とされている。また、操作板４５に対して下方から人差し指を引っ掛け、且つ主板部４１を親指で上方から押さえるようにして開封部材５を摘まんで安定的に把持し、その状態を維持したまま、開封部材５の全体を回動部４４回りに下方に向けて回動させるといった操作等も可能である。
【００４０】
なお、操作板４５は、開口部３０内に配置されるように主板部４１からの上方への突出量が調整されている。これにより、操作板４５が第１天壁部３１の上面よりも上方に突出することが防止され、操作板４５に不意に外力が加わることを防止できる。
また、図２に示すように、主板部４１は破断可能なブリッジ部４６を介して一対の側方内壁部３４にそれぞれ連結されている。但し、ブリッジ部４６の数や位置は、この場合に限定されるものではなく自由に設計して構わない。
【００４１】
上述のように構成された開封部材５には、図１〜図３に示すように、係止板（被係止突部）５０が形成されている。一方、天壁部２３には、刃部４３が下方に向かうように開封部材５が回動部４４回りに回動したときに、係止板５０を係止する係止爪（係止突部）５１が形成されている。
【００４２】
係止板５０は、一対の連結板部４２にそれぞれ形成されている。具体的には、係止板５０は、連結板部４２のうち回動部４４に隣接する部分から下方に向けて突出するように形成されている。係止板５０の下端部のうち後方側に位置する角部は、丸みを帯びた形状とされている。
【００４３】
係止爪５１は、貫通孔４０の開口周縁部に配置されていると共に、係止板５０に対応して一対形成されている。具体的には、係止爪５１は、上段壁３６の下面から下方に向けて突出するように形成された突起本体５２と、突起本体５２の下端部から前方に向けて（係止板５０に向けて）突出した爪部５３と、を備えている。
突起本体５２は、上段壁３６との接続部分を中心に前後方向Ｌ１に弾性変位可能とされている。爪部５３は、前方側に位置する下面角部が丸みを帯びた形状に形成されていると共に、上方を向いた平坦な係止面５３ａを有している。
【００４４】
これにより、刃部４３が下方に向かうように開封部材５を回動部４４回りに回動させたときに、図３に示す破線のように、係止板５０の下端部を爪部５３の係止面５３ａ上に係止させることができる。そのため、それ以降、係止板５０の下端部が下方に移動することを係止爪５１によって規制することができる。
なお、上段壁３６には、爪部５３における係止面５３ａの上方に位置する部分に上段壁３６を貫通する窓孔５４が形成されている。そのため、窓孔５４を通じて係止爪５１に係止された係止板５０の下端部を外部から視認することが可能とされている。
【００４５】
（蓋付カップ容器の使用）
次に、上述したように構成された蓋付カップ容器１を使用する場合について説明する。
この場合には、図４に示すように、操作板４５を利用して刃部４３が下方に向かうように開封部材５の全体を回動部４４回りに回動させる。これにより、ブリッジ部４６を破断させることができると共に、刃部４３をシール材３に押し付けて該シール材３を破断することができる。これにより、蓋付カップ容器１の開封作業を行うことができる。
【００４６】
また、シール材３を破断した後、開封部材５を引き続き回動させることで、係止板５０の下端部を係止爪５１の爪部５３に徐々に接近させることができる。そして、開封部材５のさらなる回動によって、開封部材５を初期状態から９０度程度回動させると、係止板５０の下端部が突起本体５２を後方側に弾性変形させながら爪部５３を乗り超える。その際、係止板５０の丸みを帯びた角部と、爪部５３の丸みを帯びた下面角部とが接するので、係止板５０は引っ掛かりなくスムーズに爪部５３を乗り越える。そして、係止板５０が爪部５３を乗り越えた瞬間、突起本体５２が前方側に向けて復元変位するので、係止板５０の下端部を爪部５３の係止面５３ａに係止させることができる。これにより、係止板５０は、ほぼ水平に配置された状態で係止爪５１に係止される。
【００４７】
従って、開封部材５が回動部４４回りの逆方向に回動することを規制した状態で、開封部材５を保持することができ、シール材３を開封することによって形成された開放部分が狭くなることを防止することができる。従って、この開放部分を通じて内容物を安定してカップ体２から外部に取り出すことができる。
特に、開封時、係止板５０及び係止爪５１を、外部から視認し難い天壁部２３の下方で互いに係止させ合うことができる。従って、これら係止板５０及び係止爪５１が外部に露出し難くなるので、開封後の見栄えを向上することができる。
【００４８】
また、係止板５０を一対の連結板部４２に形成しているので、係止板５０を回動部４４（支点）に近い位置に配置できる。そのため、開封部材５の回動時、係止板５０に力を効率良く伝え易く、係止爪５１に対して係止板５０をスムーズに係止させ易い。従って、開封操作を安定且つ容易に行い易い。また、係止板５０及び係止爪５１を左右方向Ｌ２に離れた２カ所で係止できるので、開封部材５にねじれやがたつき等が生じ難く、開封部材５をより安定して保持することができる。
【００４９】
さらに、係止板５０を一対の連結板部４２から下方に向けて突設し、係止爪５１を上段壁３６から下方に向けて突設させているので、係止板５０及び係止爪５１を近い位置に配置することができる。従って、係止板５０及び係止爪５１を直ちに係止させ易いうえ、係止し合うまでの間に、係止板５０及び係止爪５１に対して他部品が干渉し難い。従って、他部品との干渉を考慮することなく、係止板５０及び係止爪５１を十分に係止し合うように設計することが可能である。そのため、十分な係止によって、開封時、開封部材５を安定に保持することができる。
【００５０】
さらに、窓孔５４を通じて係止爪５１に係止された係止板５０の下端部を視認できるので、適切に係止板５０が係止されていることを容易に確認することができる。
【００５１】
なお、本発明の技術範囲は、上記実施形態に限定されるものではなく、本発明の趣旨を逸脱しない範囲において、種々の変更を加えることが可能である。
【００５２】
例えば、上記実施形態では、押下部の一例として、刃部４３を利用してシール材３を破断して開封を行ったが、刃部４３に限定されるものではない。例えば、シール材３を下方に向けて押下することで、シール材３を押し破る等して開封を行えれば、押下部として種々の形状のものを採用することができる。
【００５３】
また、被係止突部として係止板５０を例に挙げると共に、係止突部として係止爪５１を例に挙げて説明したが、これらの場合に限定されるものではない。例えば、爪部同士を係止し合う構成や、凸部と凹部とを係止し合う構成等を採用しても良い。
さらに、係止板５０及び係止爪５１の位置や数は、上記実施形態に限定されるものではない。例えば、開封部材５の下面から下方に向けて被係止突部を１つだけ突設し、天壁部２３の下面から下方に向けて１つだけ係止突部を突設し、被係止突部及び係止突部を１カ所で係止させても構わない。さらに、３ヵ所以上で係止する構成としても構わない。
【符号の説明】
【００５４】
１…蓋付カップ容器
２…カップ体
２ａ…カップ体の開口部
４…蓋体
５…開封部材
２３…天壁部
４０…貫通孔
４１…主板部
４２…連結板部
４３…刃部（押下部）
４４…回動部
５０…係止板（被係止突部）
５１…係止爪（係止突部）
５２…突起本体
５３…爪部
５３ａ…係止面
５４…窓孔
【図１】
0006476071.tif 000002
【図２】
0006476071.tif 000003
【図３】
0006476071.tif 000004
【図４】
0006476071.tif 000005